(57)【要約】      （修正有）【課題】着物のうえから着用して着物が汚れたり濡れたりするのを防止する簡易もんぺを提供する。【解決手段】一対の身頃片１１および襠片２１をそれぞれ縫着して形成した股上部２の背面上端に開口凹部５を設けると共に、前記股上部２の下方を分岐させて短尺で袋状の股下部７を一体に形成し、前記股上部２の上縁に沿って取付けた帯状の芯部の両端に、長尺な延長紐の一端を縫着して股上部２の両側から外側にそれぞれ延長させた帯紐２５を形成し、さらに、前記股上部２の背面に設けた開口凹部５の上縁に伸縮可能なギャザー部を設けると共に、前記股下部７の下端裾口８に伸縮可能なギャザー部９を設けて形成したことを特徴とする。【選択図】図２
0003150864.tif 000002
【実用新案登録請求の範囲】
【請求項１】
一対の身頃片（１１）、（１１）および襠片（２１）、（２１）をそれぞれ縫着して形成した股上部（２）の背面上端に開口凹部（５）を設けると共に、前記股上部（２）の下方を分岐させて短尺で袋状の股下部（７）を一体に形成し、前記股上部（２）の上縁に沿って取付けた帯状の芯部（２６）の両端に、長尺な延長紐（２７）、（２７）の一端を縫着して股上部（２）の両側から外側にそれぞれ延長させた帯紐（２５）を形成し、さらに、前記股上部（２）の背面に設けた開口凹部（５）の上縁に伸縮可能なギャザー部（６）を設けると共に、前記股下部（７）の下端裾口（８）、（８）に伸縮可能なギャザー部（９）、（９）を設けて形成したことを特徴とする簡易もんぺ。
【請求項２】
前記股上部（２）は、一対の身頃片（１１）、（１１）の上縁にタック部（３０）を設け、互いの前側辺に設けた中心辺部（ａ）、（ａ）を縫着し、互いの後ろ側辺の上下方向に襠止点（ｇ）を介して設けた襠辺部（ｃ）、（ｃ）と開口辺部（ｄ）、（ｄ）の前記襠辺部（ｃ）、（ｃ）と、一対の襠片（２１）、（２１）の一側辺の上端から下端までに設けた身頃辺部（ｈ）、（ｈ）とを互いに縫着し、さらに、前記襠片（２１）、（２１）の後ろ側の中心上方部分に位置する股上辺部（ｉ）、（ｉ）を互いに縫着することにより襠片（２１）の上方と、身頃片（１１）の開口辺部（ｄ）、（ｄ）との間に開口凹部（５）を形成し、該開口凹部の上縁内部にゴム紐などを収容した伸縮可能なギャザー部（６）を取付けて形成したことを特徴とする請求項１記載の簡易もんぺ。
【請求項３】
前記股下部（７）は、一対の襠片（２１）、（２１）の後ろ側で前記股上辺部（ｉ）、（ｉ）の下方に設けた股下辺部（ｊ）、（ｊ）と、前記身頃片（１１）、（１１）の前側辺の下方部分に設けた股下辺部（ｂ）、（ｂ）とを互いに縫着することにより、身頃片（１１）の裾辺（ｌ）、（ｌ）と、前記襠片（２１）、（２１）の下端裾辺（ｆ）、（ｆ）とで裾口（８）、（８）をそれぞれ形成し、該裾口の周縁内部にゴム紐などを収容して伸縮可能なギャザー部（９）を設けて形成したことを特徴とする請求項１記載の簡易もんぺ。
【請求項４】
防水性を有する布地材Ｓを裁断して形成した一対の身頃片（１１）、（１１）および襠片（２１）、（２１）をそれぞれ縫着して形成した股上部（２）の背面上端中央に開口凹部（５）を設けると共に、前記股上部（２）の下方を分岐させて短尺で袋状の股下部（７）を一体に形成し、前記股上部（２）の上縁に沿って取付けた帯状の芯部（２６）の両端に、長尺な延長紐（２７）、（２７）の一端を縫着して股上部（２）の両側から外側にそれぞれ延長させた帯紐（２５）を形成し、さらに、前記股上部（２）の背面に設けた開口凹部（５）の上縁に伸縮可能なギャザー部（６）を設けると共に、前記股下部（７）の下端裾口（８）、（８）に伸縮可能なギャザー部（９）、（９）をそれぞれ形成し、前記股上部（２）の正面の少なくとも一側にポケット部（３１）を取付けて形成したことを特徴とする簡易もんぺ。
【考案の詳細な説明】
【技術分野】
【０００１】
本考案は、着物を着たときに行う簡単な作業、特にお茶のお稽古などで水屋仕事をするとき、着物が濡れたり汚れたりするのを防止するために着用するもんぺの改良に関する。
【背景技術】
【０００２】
従来、着物を着て掃除や洗濯などの家事、または簡単な庭仕事などを行う場合、着物が濡れたり汚れたりするのを防止するためと、作業性の向上を図るため、いわゆる「もんぺ」を着て作業を行う場合が多い。前記もんぺは、上方を開口して筒状に形成した腰巻部の上縁左右部分をＶ字状に切り欠いて前身頃と後身頃を形成し、前記前身頃および後身頃のそれぞれ上縁左右部分に帯紐を長くして取付け、前記腰巻部の下方に歩行が容易なように股下を長くしてズボン状に形成した股下部を一体に形成したものが知られている（例えば、特許文献１、２参照）。
【先行技術文献】
【特許文献】
【０００３】
【特許文献１】実開昭６３−９４９１３号
【特許文献２】特開２００５−２９０６４３号
【０００４】
前者（実願昭６３−９４９１３号）のもんぺは、着物の上から着た場合、股下部を長く形成してあるため、着物の裾部分が股下部の上方の分岐部分までたくし上げられて着用することになる。そのため、着物の裾周りに違和感が生じると共に、着物の裾に皺が生じやすく、さらには、帯紐を前後の身頃の両側部分にそれぞれ取付けてあるため、着用時に二本の帯紐をそれぞれ着物の胴周りに巻きつけて結ばなければならず、手間がかかり不便であった。後者（特開２００５−２９０６４３号）のもんぺは、股上部を構成するモンペ半割体の開口部をそれぞれ前開きに形成してあるため、もんぺ着用時に脚を挿入するとき、股上部を体の後ろ側に位置させてからモンペ半割体に脚を挿入して着用するため、穿いたり脱いだりする動作が面倒である。さらには、帯紐の代わりに肩からサスペンダーで装着するため、着用時に紐を胴の周りに巻回して縛る手間はなくなるが、着物にサスペンダーでは違和感があると共に、モンペ半割体の股下部が長いので着物の裾がまくれ上がって皺になりやすいなどの問題点を有していた。
【考案の概要】
【考案が解決しようとする課題】
【０００５】
本考案が解決しようとする課題は、布地からの裁断と縫製が簡単で、しかも、着物の上からの着用が容易で、着物の汚れを防止することは勿論、長時間着用しても着物の裾部分にしわが生じないようにするもんぺを提供することを目的とするものである。
【課題を解決するための手段】
【０００６】
上記課題を達成するために請求項１の考案は、一対の身頃片１１、１１および襠片２１、２１をそれぞれ縫着して形成した股上部２の背面上端中央に開口凹部５を設けると共に、前記股上部２の下方を二股に分岐させて短尺で袋状の股下部７を一体に形成し、前記股上部２の上縁に沿って取付けた芯部２６の両端に、長尺な延長紐２６、２６の一端を股上部２の両側から外側にそれぞれ延長して取付けて帯紐２５を形成し、さらに、前記股上部２の背面に設けた開口凹部５の上縁に伸縮可能なギャザー部６を形成すると共に、前記股下部７の下端裾口８、８に伸縮可能なギャザー部９、９をそれぞれ設けて形成したことを特徴とする。また、前記股上部２は、一対の身頃片１１、１１の上縁ｅ、ｅにタック部３０を設け、前側部分に設けた中心辺部ａ、ａを互いに縫着し、同じく身頃片１１、１１の後ろ側辺の下端から約五分の三の位置までに設けた襠辺部ｃ、ｃと、一対の襠片２１、２１の前側辺の上端から下端に設けた身頃辺部ｈ、ｈとを互いに縫着し、さらに、前記襠片２１、２１の後ろ側の上方部分に設けた股上辺部ｉ、ｉを互いに縫着することにより襠片２１の上方と、身頃片１１の開口辺部ｄ、ｄとの間に開口凹部５を形成し、該開口凹部の上縁内部にゴム紐などを収容した伸縮可能なギャザー部６を取付けて形成したことを特徴とする。さらには、前記股下部７は、一対の襠片２１、２１の後ろ側の下方に設けた股下辺部ｊ、ｊと、前記身頃片１１、１１の前側辺の下方部分に設けた股下辺部ｂ、ｂとを互いに縫着することにより、身頃片１１の裾辺ｌ、ｌと、前記襠片２１、２１の下端裾辺ｆ、ｆとで裾口８、８をそれぞれ形成し、該裾口の周縁内部にゴム紐などを収容して伸縮可能なギャザー部９を設けて形成したことを特徴とする。
【０００７】
したがって、一対の身頃片１１、１１と、一対の襠片２１、２１の所定箇所をそれぞれ縫着して形成した股上部２と股下部７とからなるもんぺ１は、背中部分に開口凹部５を形成したため、股上部２の上縁部分に比べて、襠片２１の上辺部分が下方に位置するため、もんぺ１の股上部両側を手で持って着用する場合、開口辺部の上縁が下側に位置するため脚を高く上げることなく穿いたり脱いだりすることができる。しかも開口凹部５の上縁にギャザー部６を設けたことにより、該モンペの着用前や着用後に該襠片が下方に垂れ下がるのを防ぐことができ、極めて着用しやすいものである。
【０００８】
しかも開口凹部５の上縁にギャザー部６を設けたことにより、着用後後身頃が広がるのを防止することができる。また、股下部７を短く袋状に形成してあるため、着物の裾を端折ることなくそのまま穿いてもほとんど裾がまくれ上がらないのでしわになりにくい。さらには、一本の帯紐２５で着用することができるので、紐が絡まったりせずスムースに着ることができる。
【０００９】
請求項４の考案は、防水性を有する布地材Ｓを裁断して形成した一対の身頃片１１、１１および襠片２１、２１をそれぞれ縫着して形成した股上部２の背面上端中央に開口凹部５を設けると共に、前記股上部２の下方を分岐させて短尺で袋状の股下部７を一体に形成し、前記股上部２の上縁に沿って取付けた帯状の芯部２６の両端に、長尺な延長紐２７、２７の一端を縫着して股上部２の両側から外側にそれぞれ延長させた帯紐２５を形成し、さらに、前記股上部２の背面に設けた開口凹部５の上縁に伸縮可能なギャザー部６を設けると共に、前記股下部７の下端裾口８、８に伸縮可能なギャザー部９、９をそれぞれ形成し、前記股上部２の正面の少なくとも一側にポケット部３１を取付けて形成したことを特徴とする。
【００１０】
したがって、防水性を有する一対の身頃片１１、１１および襠片２１、２１の所定箇所をそれぞれ縫着して股上部２と股下部７を形成したもんぺ１は、背中部分に開口凹部５を形成したため、開口辺部の上縁が下側に位置するため脚を高く上げることなく穿いたり脱いだりすることができ、また、開口凹部５の上縁にギャザー部６を設けたことにより、該モンペの着用前や着用後に該襠片が下方に垂れ下がるのと、着用後に後身頃が広がるのを防止することができる。さらには、股下部７を短く袋状に形成してあるため、着物の裾を端折ることなくそのまま穿いてもほとんど裾がまくれ上がらないのでしわになりにくい。さらにはまた、布地に防水加工を施してあるため、水がもんぺの内側に浸みないので着物が濡れたり汚れたりするのを防止することができる。
【図面の簡単な説明】
【００１１】
【図１】本考案にかかるもんぺの使用状態を示す正面図である。
【図２】本考案にかかるもんぺの使用状態を示す背面図である。
【図３】もんぺを構成する身頃片、襠片、帯紐片などの型紙原型の説明図である。
【図４】身頃片の平面図である。
【図５】襠片の平面図である。
【図６】一対の身頃片と一対の襠片を互いに縫い合わせた状態の平面図である。
【図７】左右の身頃片を折り返して筒状に形成した背面図である。
【図８】もんぺの正面図である。
【図９】もんぺの背面図である。
【考案を実施するための形態】
【００１２】
本考案の実施の形態を図面に基づいて説明すると、図１は本考案にかかるもんぺの使用状態を示す正面図、図２は本考案にかかるもんぺの使用状態を示す背面図、図３はもんぺを構成する身頃片、襠片、帯紐片などの型紙原型の説明図、図４は身頃片の平面図、図５は襠片の平面図、図６は身頃片と襠片を縫い合わせた状態の背面図、図７は左右の身頃片を折り返して筒状に形成した背面図、図８はもんぺの正面図、図９はもんぺの背面図である。もんぺ１は、一対の身頃片１１と一対の襠片２１を互いに縫着して股上部２を形成し、該股上部の下方を二股にした股下部７を一体に形成し、ついで、前記股上部２の上縁に取付けた芯部２６の左右に延長紐２７を縫着して形成した帯紐２５を取付けてある。
【００１３】
前記もんぺは、図３に示すごとく、布帛または防水性を有する一枚の生地材Ｙを折り返して二重にし、該生地材にそれぞれ所定形状に形成した型紙を当て、一対の身頃片１１、一対の襠片２１、帯紐２５およびポケット片３２を裁断する。
【００１４】
前記身頃片１１は、図４に示すごとく、前側辺の正面中央に位置する中心辺部ａと股下辺部ｂを上下方向に形成し、後ろ側辺の下端から約五分の三の位置に設けた襠止点ｇまでに襠辺部ｃを形成し、前記襠止点ｇから上端までに開口辺部ｄを設け、上辺に帯止辺部ｅ、下辺に裾辺部ｆをそれぞれ設けて一体に形成してある。
【００１５】
襠片２１は、図５に示すごとく、後ろ側辺に前記身頃片１１の襠辺部ｃと縫着する身頃辺部ｈを形成し、前側辺には、股上辺部ｉと股下辺部ｊを上下方向に形成し、上端辺には開口辺部ｋ、下端辺には裾辺部ｌをそれぞれ一体に形成してある。帯紐２５は、前記股上部２の上縁に形成した帯止辺部ｅに取付ける芯部２６と、該芯部の両端に長尺な延長紐２６の一端をそれぞれ縫着して形成してある。
【００１６】
前記股上部２は、図６に示すごとく、一対の身頃片１１、１１と一対の襠片２１、２１とからなり、前記襠片２１、２１に設けた互いの股上辺部ｉ、ｉを縫着し、該襠片の開口辺部ｋ、ｋにゴムひもなどからなる伸縮可能なギャザー部６を取付ける。次いで、襠片２１、２１の身頃辺部ｈ、ｈと、身頃片１１、１１の襠辺部ｃ、ｃとをそれぞれ縫着する。さらには、図７に示すごとく、前記襠片２１、２１の身頃辺部ｈ、ｈに縫着された身頃片１１、１１の略中央を折り返し、互いの中心辺部ａ、ａを縫着して筒状にして形成する。
【００１７】
前記股下部７は、前記のごとく筒状に形成した股上部２の下方で、身頃片１１、１１の股下辺部ｂ、ｂと、襠片２１、２１の股下辺部ｊ、ｊとをそれぞれ縫着して短尺な袋状に形成し、下端に身頃片１１、１１の下辺ｆ、ｆと、襠片２１、２１の下辺ｌ、ｌとからなる裾口８、８を形成する。さらにこの裾口８、８にゴムひもなどからなるギャザー部９をそれぞれ取付けて伸縮可能に形成する。
【００１８】
前記帯紐２５は、紐状に形成した芯部２６と、該芯部の両端に縫着する一対の延長紐２７、２７とからなり、前記股上部２の上縁帯止辺部ｅ、ｅに芯部２６を縫着し、該芯部の両端に延長紐２７、２７の一端を縫着して開口辺部ｄ、ｄの上端両側から外側にそれぞれ延長して形成してある。
【００１９】
前記股上部２の上縁帯止辺部ｅ、ｅの任意箇所にタック部３０を設けて身頃片１１のたるみを吸収し、股上部２の正面一側の任意箇所に作業で使用する小物などを収容するポケット部３１を取付けてある。
【００２０】
以下、本考案の実施形態の作用について説明すると、着物Ｘを着てお茶のお稽古やお花のお稽古をするときに行う水仕事、さらには簡単な庭掃除などにおいて、本願に係るもんぺ１を使用する場合、もんぺ１の上端左右上端を持って上方を広げて背面中央に設けた開口凹部５を身体の正面に位置する。すると前記開口凹部５は、下方を広く開口しているため股上部２の上縁部分に比べて、襠片２１の上辺部分が下方に位置し、脚を高く上げることなく穿いたり脱いだりすることができる。
【００２１】
したがって、着物Ｘの裾を端折る必要もなく、また、脚を高く上げることもなくそのまま少し脚を上げるだけで開口凹部５から股下部７にスムースに挿通して裾口８から脚を出して簡単に穿くことができる。背中部分に開口凹部５を形成し、しかも開口凹部５の上縁にギャザー部６を設けたことにより、該モンペの着用前や着用後に該襠片が下方に垂れ下がるのを防ぐことができ、極めて着用しやすく形成してある。
【００２２】
着物Ｘの裾を端折ることなくそのまま脚を股下部７に入れて裾口８から出すと、股下部７は、股上を短く袋状に形成して内部に余裕を持たせてあるため、着物の裾がたくし上がらず股下部７の下方にそのまま位置するためしわになり難くい。また、股下部７の下端に設けた裾口８に伸縮可能なギャザー部９を取付けて脚首を軽く締着してあるため、裾口８から着物の裾がはみ出たりせず動きやすく、さらには、脚を前後左右に広げても裾口８が上方に上がらずスムースに歩行することができる。
【００２３】
前記股上部２の背面中央に設けた開口凹部５の深さは、使用者の身長や脚の長さに合わせて上下方向に高くしたり、低くして任意の高さに形成することができる。さらには、この開口凹部５の上縁に伸縮可能なギャザー部６を設けたことにより、もんぺ１を着用したときに開口凹部５が中心方向に引張られるため、帯紐２５でむすばなくても後身頃にたるみが生じることなくきれいに着ることができる。
【００２４】
着物Ｘの上からもんぺ１を穿くと、帯紐２５の延長紐２７が開口凹部５の上端両脇に位置しているため、この延長部２７の両端を前側に回して結ぶだけで簡単に締着することができる。このもんぺ１は一本の帯紐２５を使用して結ぶので、帯紐が絡まったりせずスムースに結ぶことができ、また、使用後にもんぺ１を畳むときも帯紐の本数が少ないので簡単に畳むことができる。
【符号の説明】
【００２５】
１    もんぺ
２    股上部
５    開口凹部
６    ギャザー部
７    股下部
８    裾口
９    ギャザー部
１１  身頃片
２１  襠片
２５  帯紐
２６  芯部
２７  延長部
３１  ポケット部
ａ    中心辺部
ｂ    股下辺部
ｃ    襠辺部
ｄ    開口辺部
ｅ    帯止辺部
ｆ    裾辺部
ｇ    襠止点
ｈ    身頃辺部
ｉ    股上辺部
ｊ    股下辺部
ｋ    開口辺部
ｌ    裾辺部
【図１】
0003150864.tif 000003
【図２】
0003150864.tif 000004
【図３】
0003150864.tif 000005
【図４】
0003150864.tif 000006
【図５】
0003150864.tif 000007
【図６】
0003150864.tif 000008
【図７】
0003150864.tif 000009
【図８】
0003150864.tif 000010
【図９】
0003150864.tif 000011